(57)【特許請求の範囲】
【請求項１】
支持軸で互いに交差して回動自在に連結され、それぞれ前記支持軸を挟んで一方を握り部とし他方をワーク部とする第１アームおよび第２アームと、
長手方向中間部を前記支持軸に回動自在に支持されたプレートと、
ホースを保持するホース保持部と、
前記ホースに挿入する挿入部材を保持する挿入部材保持部と、
前記第１アームの前記ワーク部の先端に回動自在に連結されるとともに前記ホース保持部を支持する第１連結部と、
前記第２アームの前記ワーク部の先端に回動自在に連結されるとともに前記挿入部材保持部を支持する第２連結部と、
一端が前記第１連結部に回動自在に連結され、他端が前記プレートの一端に回動自在に連結された第１リンク部材と、
一端が前記第２連結部に回動自在に連結され、他端が前記プレートの他端に回動自在に連結された第２リンク部材とを有し、
前記ホース保持部は、前記挿入部材保持部側と反対方向への移動を規制して前記ホースを保持し、
前記挿入部材保持部は、前記ホース保持部側と反対方向への移動を規制して前記挿入部材を保持し、
前記第１アーム、プレート、第１リンク部材および第１連結部で第１の平行四辺形リンクを形成し、
前記第２アーム、プレート、第２リンク部材および第２連結部で第２の平行四辺形リンクを形成して、
前記第１アームおよび第２アームの回動に応じて、前記ホース保持部に保持する前記ホースと前記挿入部材保持部に保持する前記挿入部材とを共通の直線上で相対移動可能にすると共に、前記ホース保持部と前記挿入部材保持部のうちの一方の回動に連動して、前記ホース保持部と前記挿入部材保持部が、前記第１リンク部材および前記第２リンク部材により、互いに平行となる向きを維持しつつ回動するようにしたことを特徴とする工具。
【請求項２】
前記挿入部材が前記ホースへの接続部に続いてフランジ部を備える継ぎ手であり、
前記ホース保持部は、前記ホースを貫通させる貫通孔を有して、該貫通孔に挿入した前記ホースを径方向に押圧可能な押圧部を有するロック機構を備えており、
前記挿入部材保持部は、前記継ぎ手を受容する保持穴を有するとともに、該保持穴が開口し前記ホース保持部に対向する端面に前記フランジ部を着座させることを特徴とする請求項１に記載の工具。
【請求項３】
前記挿入部材が前記ホースに嵌め込まれたインサート抜き取り用の押し出しピンであり、
前記ホース保持部は、前記挿入部材保持部に対向する側に開口するとともに奥端に前記ホースのインサート嵌め込み端を着座させる段差部を備える保持穴と、前記段差部に開口して前記インサートが通過可能の貫通孔とを有し、
前記挿入部材保持部は、前記挿入部材を固定保持することを特徴とする請求項１に記載の工具。
【請求項４】
前記ホース保持部が前記第１連結部に脱着可能に支持され、
前記挿入部材保持部が前記第２連結部に脱着可能に支持されていることを特徴とする請求項１から３のいずれか１に記載の工具。
【請求項５】
ホースに継ぎ手を組み付ける継ぎ手組付工具であって、
支持軸で互いに交差して回動自在に連結され、それぞれ前記支持軸を挟んで一方を握り部とし他方をワーク部とする第１アームおよび第２アームと、
長手方向中間部を前記支持軸に回動自在に支持されたプレートと、
前記第１アームの前記ワーク部の先端に回動自在に連結されるとともに前記ホースを保持するホース保持部材と、
前記第２アームの前記ワーク部の先端に回動自在に連結されるとともに前記継ぎ手を保持する継ぎ手保持部材と、
一端が前記ホース保持部材に回動自在に連結され、他端が前記プレートの一端に回動自在に連結された第１リンク部材と、
一端が前記継ぎ手保持部材に回動自在に連結され、他端が前記プレートの他端に回動自在に連結された第２リンク部材とを有し、
前記ホース保持部材は、前記継ぎ手保持部材側と反対方向への移動を規制して前記ホースを保持し、
前記継ぎ手保持部材は、前記ホース保持部材側と反対方向への移動を規制して前記継ぎ手を保持し、
前記第１アーム、プレート、第１リンク部材およびホース保持部材で第１の平行四辺形リンクを形成し、
前記第２アーム、プレート、第２リンク部材および継ぎ手保持部材で第２の平行四辺形リンクを形成して、
前記第１アームおよび第２アームの回動に応じて、前記ホース保持部材に保持する前記ホースと前記継ぎ手保持部材に保持する前記継ぎ手とを共通の直線上で相対移動可能にすると共に、前記ホース保持部材と前記継ぎ手保持部材のうちの一方の回動に連動して、前記ホース保持部材と前記継ぎ手保持部材が、前記第１リンク部材および前記第２リンク部材により、互いに平行となる向きを維持しつつ回動するようにしたことを特徴とする継ぎ手組付工具。
【請求項６】
ホースに嵌め込まれたインサートを押し出しピンで押し出して抜き取るインサート抜取工具であって、
支持軸で互いに交差して回動自在に連結され、それぞれ前記支持軸を挟んで一方を握り部とし他方をワーク部とする第１アームおよび第２アームと、
長手方向中間部を前記支持軸に回動自在に支持されたプレートと、
前記第１アームの前記ワーク部の先端に回動自在に連結されるとともに前記ホースを保持するホース保持部材と、
前記第２アームの前記ワーク部の先端に回動自在に連結されるとともに前記押し出しピンを保持する押し出しピン保持部材と、
一端が前記ホース保持部材に回動自在に連結され、他端が前記プレートの一端に回動自在に連結された第１リンク部材と、
一端が前記押し出しピン保持部材に回動自在に連結され、他端が前記プレートの他端に回動自在に連結された第２リンク部材とを有し、
前記ホース保持部材は、前記押し出しピン保持部材側と反対方向への移動を規制して前記ホースを保持し、
前記押し出しピン保持部材は、前記ホース保持部材側と反対方向への移動を規制して前記押し出しピンを保持し、
前記第１アーム、プレート、第１リンク部材およびホース保持部材で第１の平行四辺形リンクを形成し、
前記第２アーム、プレート、第２リンク部材および押し出しピン保持部材で第２の平行四辺形リンクを形成して、
前記第１アームおよび第２アームの回動に応じて、前記ホース保持部材に保持する前記ホースと前記押し出しピン保持部材に保持する前記押し出しピンとを共通の直線上で相対移動可能にすると共に、前記ホース保持部材と前記押し出しピン保持部材のうちの一方の回動に連動して、前記ホース保持部材と前記押し出しピン保持部材が、前記第１リンク部材および前記第２リンク部材により、互いに平行となる向きを維持しつつ回動するようにしたことを特徴とするインサート抜取工具。
【発明の詳細な説明】
【技術分野】
【０００１】
本発明は、ゴムや樹脂製のホースに所定の部材を挿入するために用いるホース挿入工具に関する。
【背景技術】
【０００２】
例えば流体の流路を形成するための継ぎ手とホースを接続する場合には、一方の手で継ぎ手を掴むとともに他方の手でホースを掴んで、両腕を狭める方向に力を入れて継ぎ手の接続部をホースの孔に押し込まねばならない。ここで漏れ防止のため、継ぎ手の接続部の外径はホースの内径よりも大径に形成して締め代を与えており、挿入には大きな力を必要とするが、素手で支えるには限度があってホースが滑ってしまい、指への負担が大きく作業性が悪い。
この対策として、特開２０１２−２２３８２４号公報にはホース（チューブ）を挟んで把持可能な溝を備えるペンチ様の工具が提案されている。
【先行技術文献】
【特許文献】
【０００３】
【特許文献１】特開２０１２−２２３８２４号公報
【発明の概要】
【発明が解決しようとする課題】
【０００４】
ところで、上記公報に示された継ぎ手は固定側のマニホールドに取り付けられたもので継ぎ手を手で保持する必要はないが、この場合ですら締め代のためホースを把持した工具をもつ片手だけでホースと継ぎ手を相対的に挿入することが困難であって、他方の手もホースに副えて挿入せざるを得ない。
また、工具を使っているにもかかわらず、ホースを挟んでいる力を抜けばホースは滑ってしまうので、把持する力を維持しながら、挿入口を探し一定の方向に押し込みを続けなければならず、挿入作業を容易にして指への負担を軽減するという狙いに適切に対応しているとは言い難い。
【０００５】
したがって本発明は、上記の問題点に鑑み、ホースに例えば継ぎ手などの挿入部材を挿入する作業におけるホースの保持および挿入方向の維持を容易にして、顕著に作業者の負担を軽減するホース挿入工具を提供することを目的とする。
【課題を解決するための手段】
【０００６】
このため本発明のホース挿入工具は、
支持軸で互いに交差して回動自在に連結され、それぞれ支持軸を挟んで一方を握り部とし他方をワーク部とする第１アームおよび第２アームと、
長手方向中間部を前記支持軸に回動自在に支持されたプレートと、
ホースを保持するホース保持部と、
ホースに挿入する挿入部材を保持する挿入部材保持部と、
第１アームのワーク部の先端に回動自在に連結されるとともにホース保持部を支持する第１連結部と、
第２アームのワーク部の先端に回動自在に連結されるとともに挿入部材保持部を支持する第２連結部と、
一端が第１連結部に回動自在に連結され、他端がプレートの一端に回動自在に連結された第１リンク部材と、
一端が第２連結部に回動自在に連結され、他端がプレートの他端に回動自在に連結された第２リンク部材とを有し、
ホース保持部は、挿入部材保持部側と反対方向への移動を規制してホースを保持し、
挿入部材保持部は、ホース保持部側と反対方向への移動を規制して挿入部材を保持し、
第１アーム、プレート、第１リンク部材および第１連結部で第１の平行四辺形リンクを形成し、
第２アーム、プレート、第２リンク部材および第２連結部で第２の平行四辺形リンクを形成して、
第１アームおよび第２アームの回動に応じて、ホース保持部に保持するホースと挿入部材保持部に保持する挿入部材とを共通の直線上で相対移動可能にすると共に、第１連結部と第２連結部のうちの一方の回動に連動して、第１連結部と第２連結部が、第１リンク部材および第２リンク部材により、互いに平行となる向きを維持しつつ回動するようにした。
【発明の効果】
【０００７】
本発明によれば、第１アームおよび第２アームの握り部を片手で絞るだけの簡単操作で、互いの軸を終始合わせながらホースに挿入部材を挿入することができる。
【図面の簡単な説明】
【０００８】
【図１】第１の実施例を示す図である。
【図２】ニップルを示す図である。
【図３】ホース保持部材のロック機構を示す拡大断面図である。
【図４】第１の実施例の使用要領を示す図である。
【図５】第１の実施例の使用要領を示す図である。
【図６】ホースのインサートを示す図である。
【図７】第２の実施例を示す図である。
【図８】ホース保持部材の拡大断面図である。
【図９】押し出しピンを示す図である。
【図１０】第２の実施例の使用要領を示す図である。
【図１１】第２の実施例の使用要領を示す図である。
【図１２】第２の実施例の使用要領を示す図である。
【図１３】押し出しピンの挿入過程を示す断面図である。
【発明を実施するための形態】
【０００９】
以下、本発明の実施の形態を実施例により説明する。
【実施例１】
【００１０】
図1は第1の実施例としてホース端に継ぎ手としてのニップルを挿入するための継ぎ手組付工具を示す図である。
継ぎ手組付工具１は、支持軸２で交差して互いに回動自在の第１アーム３と第２アーム４を有するペンチと同様の基本形状を有する。
ニップル４５は図２の（ａ）に示すように、軸方向中間にフランジ部４７を有して、フランジ部４７から軸方向一方に接続部４６、他方にねじ部４８を延ばして、図示省略の孔が軸方向に貫通している。接続部４６の外周にはホースに挿入されたあとの抜け止めとしてフランジ部４７方向に拡径する傾斜段を複数設けたタケノコ４９が形成されている。
【００１１】
図１に戻って、第１アーム３は支持軸２を挟んで一方側を長い握り部３ａとし、相対的に短い他方側のワーク部３ｂの先端にホース保持部材１０を軸ピン３０により支持している。
第２アーム４は支持軸２を挟んで一方側を長い握り部４ａとし、相対的に短い他方側のワーク部４ｂの先端に継ぎ手保持部材２０を軸ピン３１により支持している。
ホース保持部材１０はホース４０の外径に対応する内径の貫通孔１３（後掲の図３参照）を有する円筒状の保持部１１を備えるとともに、保持部１１に後述するロック機構ＬＫを備えている。
継ぎ手保持部材２０は、図２の（ｂ）に示すように、ニップル４５のねじ部４８をスライド可能に受容する内径の保持穴２３を有する円筒状の保持部２１を備え、保持部２１のホース保持部材１０に対向する端面２２にニップル４５のフランジ部４７を着座させるようになっている。
【００１２】
支持軸２にはさらにプレート５が回動可能に支持されている。プレート５は支持軸２による支持部を挟んで両方向に延び、その両端が第１ロッド６および第２ロッド７の各一端とそれぞれ軸ピン３２、３４により連結している。
第１ロッド６の他端はホース保持部材１０に軸ピン３３により連結し、第２ロッド７の他端は継ぎ手保持部材２０に軸ピン３５により連結している。
なお、ホース保持部材１０は軸ピン３０、３３による第１アーム３および第１ロッド６との連結部１６を保持部１１と一体に備えている。また継ぎ手保持部材２０も軸ピン３１、３５による第２アーム４および第２ロッド７との連結部２６を保持部２１と一体に備えている。
【００１３】
ホース保持部材１０（保持部１１）の貫通孔１３と継ぎ手保持部材２０（保持部２１）の保持穴２３を一直線上に整列させたとき、ホース保持部材１０の連結部１６における第１アーム３および第１ロッド６と連結する軸ピン３０、３３を結ぶ線と継ぎ手保持部材２０の連結部２６における第２アーム４および第２ロッド７と連結する軸ピン３１、３５を結ぶ線とが一直線上に位置するとともに、プレート５における第１ロッド６および第２ロッド７と連結する軸ピン３２、３４を結ぶ線と平行になるように設定してある。また、支持軸２と軸ピン３０を結ぶ線と軸ピン３２、３３を結ぶ線（第１ロッド６）が平行で、支持軸２と軸３１を結ぶ線と軸ピン３４、３５を結ぶ線（第２ロッド７）も平行に設定されている。
これにより、第１アーム３、第１ロッド６、連結部１６およびプレート５で平行４辺形リンクＰＬａが形成され、第２アーム４、第２ロッド７、連結部２６およびプレート５で同様に平行４辺形リンクＰＬｂが形成されている。
【００１４】
図３はホース保持部材１０のロック機構ＬＫを示す拡大断面図である。ロック機構ＬＫは、保持部１１における継ぎ手保持部材２０に対向する側と反対側に、軸方向のスリット１４を形成して貫通孔１３を外部と連通させるとともに、レバー支持部１５を設け、ロックレバー１７をレバー支持部１５に回動軸３６で支持している。
ロックレバー１７は回動軸３６近傍に押圧部１８を有しており、保持部１１の長手方向（貫通孔１３方向）に対して角度をもった（ａ）に示す解放位置において押圧部１８が貫通孔１３外に位置する。そして、（ｂ）に示すように、ロックレバー１７が保持部１１の長手方向に沿うロック位置へ矢示方向に回動されると、押圧部１８が貫通孔１３内に進入して、貫通孔１３に差し込まれたホース４０を押圧変形させることにより軸方向の滑りなく保持する。
【００１５】
次に、上述の構成になる継ぎ手組付工具１の使用要領について説明する。
まず図４の（ａ）に示すように、第１、第２アーム３、４の握り部３ａ、４ａを広く開いた状態で、継ぎ手保持部材２０を軸ピン３１まわりに回動させ、ホース保持部材１０に対向する端面２２を図中上向きとして、ニップル４５をねじ部４８から保持部２１の保持穴２３（図２の（ｂ）参照）に挿入する。
この際、平行４辺形リンクＰＬａ、ＰＬｂにより連動して、ホース保持部材１０も継ぎ手保持部材２０と平行に回動する。
ニップル４５のフランジ部４７を保持部２１の端面２２に着座させたら、ホース保持部材１０と継ぎ手保持部材２０を回動させて、先の図１に示されるように、両者の保持部１１、２１をほぼ一直線上に対向させる。
【００１６】
つぎに、図４の（ｂ）に示すように、ロックレバー１７を解放位置としたホース保持部材１０の貫通孔１３（図３参照）に継ぎ手保持部材２０対向側と反対側からホース４０を挿入し、その先端を継ぎ手保持部材２０対向側の開口から所定量突出させて、ニップル４５の接続部４６に当接させる。そしてこの状態でロックレバー１７を回動させてホースをロックする。
【００１７】
このあと、ニップル４５の接続部４６先端がホース保持部材１０から突出しているホース４０の孔４１（図３の（ａ）参照）に軸ずれなく対向しているかを確認し、対向していなければ軸合わせして、握り部３ａ、４ａをわずかに閉じ方向に絞る。これにより、継ぎ手保持部材２０がニップル４５を押してニップル４５の接続部４６の先端がホース４０の孔４１に挿入されるのが確認されるから、続けて握り部３ａ、４ａを絞ることにより図５の（ｃ）に示すように、ニップル４５のフランジ部４７がホース４０の先端に当接するまで挿入される。この挿入の間、ホース保持部材１０の保持部１１と継ぎ手保持部材２０の保持部２１は一直線を維持するので、無理なこじりがなく、作業は握り部３ａ、４ａを絞る片手で済む。
【００１８】
ニップル４５をそのフランジ部４７がホース４０の先端に当接するまで挿入したあと、図５の（ｄ）に示すように、第１アーム３（握り部３ａ）と第２アーム４（握り部４ａ）を解放することにより、ニップル４５は継ぎ手保持部材２０から解放されてホース４０に挿入状態で残り、またロックレバー１７を解放することにより、ホース４０はホース保持部材１０の貫通孔１３から抜き出し可能となる。
ホース４０の抜き出しは挿入と逆方向に引き出せばよいが、ニップル４５のフランジ部４７の径がホース４０の外径より大きくて貫通孔１３を通過できない場合には、保持部１１の継ぎ手保持部材２０に対向する側を上向きに回動させて挿入時と同方向に引き出すことができる。
【００１９】
本実施例では、継ぎ手としてのニップル４５が発明における挿入部材に該当し、継ぎ手保持部材２０が挿入部材保持部材に該当する。
ホース保持部材１０の保持部１１がホース保持部に該当し、連結部１６が第１連結部に該当する。また、継ぎ手保持部材２０の保持部２１が挿入部材保持部に該当し、連結部２６が第２連結部に該当する。
第１ロッド６が第１リンク部材に該当し、第２ロッド７が第２リンク部材に該当する。
第１アーム３、プレート５、第１ロッド６および連結部１６で形成される平行４辺形リンクＰＬａが第１の平行四辺形リンクに該当し、第２アーム４、プレート５、第２ロッド７および連結部２６で形成される平行四辺形リンクＰＬｂが第２の平行四辺形リンクに該当する。
【００２０】
第１の実施例になる継ぎ手組付工具１は以上のように構成され、支持軸２で互いに交差して回動自在に連結され、それぞれ支持軸２を挟んで一方を握り部３ａ、４ａとし他方をワーク部３ｂ、４ｂとする第１アーム３および第２アーム４と、長手方向中間部を支持軸２に回動自在に支持されたプレート５と、ホース４０を保持する保持部１１と第１アーム３のワーク部３ｂの先端に回動自在に連結される連結部１６とを有するホース保持部材１０と、ニップル４５を保持する保持部２１と第２アーム４のワーク部４ｂの先端に回動自在に連結される連結部２６とを有する継ぎ手保持部材２０と、一端がホース保持部材１０（連結部１６）に回動自在に連結され、他端がプレート５の一端に回動自在に連結された第１ロッド６と、一端が継ぎ手保持部材２０（連結部２６）に回動自在に連結され、他端がプレート５の他端に回動自在に連結された第２ロッド７とを有し、ホース保持部材１０の保持部１１は、継ぎ手保持部材２０側と反対方向への移動を規制してホース４０を保持し、継ぎ手保持部材２０の保持部２１は、ホース保持部材１０側と反対方向への移動を規制してニップル４５を保持し、第１アーム３、プレート５、第１ロッド６および連結部１６で平行四辺形リンクＰＬａを形成し、第２アーム４、プレート５、第２ロッド７および連結部２６で平行四辺形リンクＰＬｂを形成して、第１アーム３および第２アーム４の回動に応じて、保持部１１に保持するホース４０と保持部２１に保持するニップル４５とが共通の直線上で相対移動可能なものとしたので、第１、第２アーム３、４の握り部３ａ、４ａを片手で絞るだけの簡単操作で、互いの軸を終始合わせながらホース４０にニップル４５を挿入して組付けることができる。
（請求項１、５に対応する効果）
【００２１】
ホース保持部材１０の保持部１１は、ホース４０を貫通させる貫通孔１３を有して、貫通孔１３に挿入したホース４０を径方向に押圧可能な押圧部１８を有するロック機構ＬＫを備えることにより、継ぎ手保持部材２０側と反対方向へのホース４０の移動を確実に規制している。
また、ニップル４５はホース４０への接続部４６に続いてフランジ部４７、ねじ部４８を備えており、継ぎ手保持部材２０の保持部２１は、ニップル４５（ねじ部４８）を受容する保持穴２３を有するとともに、保持穴２３が開口しホース保持部材１０に対向する端面２２にニップル４５のフランジ部４７を着座させることにより、ホース保持部材１０側と反対方向へのニップル４５の移動を確実に規制している。
これにより、ホース４０とニップル４５が互いに離反方向に逃げることなく、ニップル４５が滑らかにホース４０に挿入される。
（請求項２に対応する効果）
【００２２】
なお、第１の実施例では継ぎ手としてフランジ部４７を挟んだ一方にタケノコの接続部４６を有し、他方にねじ部４８を有するニップル４５を例示したが、ねじ部４８の代わりに単なる筒部を有するなどの種々の継ぎ手を組付け対象とすることができる。
また、継ぎ手保持部材２０の保持穴２３は貫通孔でもよいが、継ぎ手がフランジ部を有しないものである場合には有底穴としてその底壁に当該継ぎ手を当接させ、ホース保持部材１０側と反対方向への移動規制とすることができる。
【実施例２】
【００２３】
つぎに、第２の実施例として、インサートが嵌め込まれたホースから当該インサートを押し出しピンの挿入により抜くためのインサート抜取工具について説明する。
インサート４２は金属製で、図６に示すように、パイプ４３の一端に拡径フランジ４４を形成したもので、仮想線で示すホース４０’の孔４１に拡径フランジ４４の軸方向先端面を当該ホースの端面と面一にして嵌め込まれている。
【００２４】
図７はインサート抜取工具を示す図である。
インサート抜取工具５０は、支持軸２で交差して互いに回動自在の第１アーム３と第２アーム４を有しており、第１アーム３は支持軸２を挟んで握り部３ａと反対側のワーク部３ｂの先端にホース保持部材１０’を軸ピン３０により支持し、第２アーム４は支持軸２を挟んで握り部４ａと反対側のワーク部４ｂの先端に押し出しピン保持部材６０を軸ピン３１により支持している。
ホース保持部材１０’は保持部１１’にホース４０’を保持する保持穴１９（後掲の図８参照）を有し、押し出しピン保持部材６０は保持部６１に押し出しピン５５を保持するねじ穴６３（図９参照）を有するが、詳細は後述する。
【００２５】
中央で支持軸２に回動可能に支持されたプレート５の両端が第１ロッド６および第２ロッド７の各一端とそれぞれ軸ピン３２、３４により連結し、第１ロッド６の他端はホース保持部材１０’に軸ピン３３により連結し、第２ロッド７の他端は押し出しピン保持部材６０に軸ピン３５により連結している。
ホース保持部材１０’は軸ピン３０、３３による第１アーム３および第１ロッド６との連結部１６を保持部１１’と一体に備えている。また押し出しピン保持部材６０も軸ピン３１、３５による第２アーム４および第２ロッド７との連結部２６を保持部６１と一体に備えている。
【００２６】
ホース保持部材１０’の保持穴１９と押し出しピン保持部材６０のねじ穴６３を一直線上に整列させたとき、ホース保持部材１０’の連結部１６における第１アーム３および第１ロッド６と連結する軸ピン３０、３３を結ぶ線と押し出しピン保持部材６０の連結部２６における第２アーム４および第２ロッド７と連結する軸ピン３１、３５を結ぶ線とが一直線上に位置するとともに、プレート５における第１ロッド６および第２ロッド７と連結する軸ピン３２、３４を結ぶ線と平行になるように設定してある。
【００２７】
また、第１アーム３、第１ロッド６、連結部１６およびプレート５で平行４辺形リンクＰＬａが形成され、第２アーム、第２ロッド、連結部２６およびプレートでも平行４辺形リンクＰＬｂが形成されている。
ホース保持部材１０’および押し出しピン保持部材６０の詳細を除き、上述およびその他の構成は第１の実施例と同じである。同一部材には同一の参照番号を付してある。
【００２８】
つぎに、図８はホース保持部材１０’の拡大断面図である。
ホース保持部材１０’は、押し出しピン保持部材６０に対向する端面１２に保持穴１９を開口させた２段円筒状の保持部１１’を備える。保持穴１９はホース４０’の外径に対応する内径を有する。
保持穴１９の奥端からは、押し出しピン保持部材６０側と反対方向に小径の貫通孔１３’が延びている。貫通孔１３’はホース４０’に嵌め込まれているインサート４２（とくにその拡径フランジ４４）が通過可能な内径としてある。
これにより、保持穴１９と貫通孔１３’間には段差部１９ａが形成されている。保持穴１９にその開口から挿入されたホース４０’は、段差部１９ａに着座して押し出しピン保持部材６０側と反対方向への移動が規制される。したがって、本実施例のホース保持部材１０’は第１の実施例におけるようなホース４０’をロックするロック機構を有しない。
【００２９】
押し出しピン５５は、図９の（ａ）に示すように、スパナを係止可能なヘッド５７から一方にピン部５６を延ばし、他方にねじ部５８を有している。ピン部５６はインサート４２のパイプ４３の内径より大きく、外径よりも小さい径を有する。
押し出しピン保持部材６０の保持部６１は、図９の（ｂ）に示すように、ホース保持部材１０’に対向する端面６２に押し出しピン５５のねじ部５８と噛み合うねじ穴６３を開口させた円筒状で、端面６２に押し出しピン５５のヘッド５７を着座させる。
【００３０】
次に、上述の構成になるインサート抜取工具５０の使用要領について説明する。
ここで、作業対象のホース４０’はインサート４２が嵌め込まれた一端部分をあらかじめ切り落として準備されているものである。
まず図１０の（ａ）に示すように、第１、第２アーム３、４の握り部３ａ，４ａを広く開いた状態で、押し出しピン保持部材６０を軸ピン３１まわりに回動させ、ホース保持部材１０’に対向する端面６２を図中上向きとして、押し出しピン５５を保持部６１に取り付ける。すなわち、押し出しピン５５のヘッド５７にスパナを掛けてねじ部５８を保持部６１のねじ穴６３にねじ込んで固定する。
【００３１】
押し出しピン５５におけるピン部５６の長さは、ホース４０’からインサート４２の過半を押し出せればその後インサート４２を手で掴んで引き抜くことができるが、図示のようにホース４０’の全長以上として完全に押し出すように設定するのが好ましい。
なお、押し出しピン５５の長さが短くて、押し出しピン保持部材６０とホース保持部材１０’を一直線上で向い合せた状態でも取り付けることができれば回動させなくてもよい。
【００３２】
つぎには、図１０の（ｂ）に示すように、ホース保持部材１０’をその押し出しピン保持部材６０に対向する端面１２が上向きとなるように回動させる。押し出しピン保持部材６０に取り付けられた押し出しピン５５は下向きとなる。
そして、ホース保持部材１０’の上向きとなった保持穴１９にインサート嵌め込み部分のホース４０’をその嵌め込み端から挿入して保持させる。
【００３３】
その後、ホース保持部材１０’と押し出しピン保持部材６０を回動させて、図１１の（ｃ）に示すように、両者をほぼ一直線上に対向させる。
そして、握り部３ａ、４ａをわずかに絞って、図１１の（ｄ）に示すように、押し出しピン５５の先端をホース保持部材１０’の保持穴１９から突出しているホース４０’に当接させて、押し出しピン５５のピン部５６がホース４０’の孔４１（図６参照）に軸ずれなく対向しているかを確認し、対向していなければ軸合わせして、その後握り部３ａ、４ａをさらに閉じ方向に絞る。
【００３４】
ホース４０’は保持部１１’における段差部１９ａに着座して軸方向の移動が規制されているので、押し出しピン５５はインサート４２に当接するまで軽くホース４０’内に進入していく。
図１３の（ａ）は押し出しピン５５（ピン部５６）がインサート４２に当接した状態を示す断面図である。
押し出しピン５５がインサート４２に当接すると握り部３ａ、４ａの絞りに対する抵抗が増大するので、正常に挿入されたことがわかる。
【００３５】
このあとは、握り部３ａ、４ａを絞るにしたがってインサート４２が押し出しピン５５に押されて、段差部１９ａに着座するホース端から貫通孔１３’に抜け出てくる。図１３の（ｂ）はこの途中段階を示す。
この押し出しピン５５挿入の間、ホース保持部材１０’の保持部１１’に保持したホース４０’と押し出しピン保持部材６０の保持部６１に保持した押し出しピン５５は一直線を維持するので、無理なこじりがなく、作業は握り部３ａ、４ａを絞る片手で済む。
【００３６】
インサート４２がホース４０’から完全に抜け出ると、保持部１１’の貫通孔１３’から落下するので、握り部３ａ、４ａの絞りに対する抵抗がなくなることとともに、目視や落下音により、インサート４２の抜取りが終わったことがわかる。
握り部３ａ、４ａを開くと、図１２の（ｅ）に示すように、押し出しピン保持部材６０に固定された押し出しピン５５はホース保持部材１０’の保持部１１’に残るホース４０’から抜け出る。
このあと、先の図１０の（ｂ）に示した姿勢にホース保持部材１０’を回動して、インサート４２が抜取られたホース４０’を取り出し廃棄して作業が完了する。
抜き取られたインサート４２は新たなホースに再利用される。
【００３７】
本実施例では、押し出しピン５５が発明における挿入部材に該当し、押し出しピン保持部材６０が挿入部材保持部材に該当する。
ホース保持部材１０’の保持部１１’がホース保持部に該当し、連結部１６が第１連結部に該当する。また、押し出しピン保持部材６０の保持部６１が挿入部材保持部に該当し、連結部２６が第２連結部に該当する。
第１ロッド６が第１リンク部材に該当し、第２ロッド７が第２リンク部材に該当する。
第１アーム３、プレート５、第１ロッド６および連結部１６で形成される平行４辺形リンクＰＬａが第１の平行四辺形リンクに該当し、第２アーム４、プレート５、第２ロッド７および連結部２６で形成される平行四辺形リンクＰＬｂが第２の平行四辺形リンクに該当する。
【００３８】
第２の実施例になるインサート抜取工具５０は以上のように構成され、支持軸２で互いに交差して回動自在に連結され、それぞれ支持軸２を挟んで一方を握り部３ａ、４ａとし他方をワーク部３ｂ、４ｂとする第１アーム３および第２アーム４と、長手方向中間部を支持軸２に回動自在に支持されたプレート５と、ホース４０’を保持する保持部１１’と第１アーム３のワーク部３ｂの先端に回動自在に連結される連結部１６とを有するホース保持部材１０’と、押し出しピン５５を保持する保持部６１と第２アーム４のワーク部４ｂの先端に回動自在に連結される連結部２６とを有する押し出しピン保持部材６０と、一端がホース保持部材１０’（連結部１６）に回動自在に連結され、他端がプレート５の一端に回動自在に連結された第１ロッド６と、一端が押し出しピン保持部材６０（連結部２６）に回動自在に連結され、他端がプレート５の他端に回動自在に連結された第２ロッド７とを有し、ホース保持部材１０’の保持部１１’は、押し出しピン保持部材６０側と反対方向への移動を規制してホース４０’を保持し、押し出しピン保持部材６０の保持部６１は、ホース保持部材１０’側と反対方向への移動を規制して押し出しピン５５を保持し、第１アーム３、プレート５、第１ロッド６および連結部１６で平行四辺形リンクＰＬａを形成し、第２アーム４、プレート５、第２ロッド７および連結部２６で平行四辺形リンクＰＬｂを形成して、第１アーム３および第２アーム４の回動に応じて、保持部１１’に保持するホース４０’と保持部６１に保持する押し出しピン５５とが共通の直線上で相対移動可能なものとしたので、第１、第２アーム３、４の握り部３ａ、４ａを片手で絞るだけの簡単操作で、互いの軸を終始合わせながらホース４０’に押し出しピン５５を挿入してインサート４２を抜き取ることができる。
（請求項１、６に対応する効果）
【００３９】
ホース保持部材１０’の保持部１１’は、押し出しピン保持部材６０に対向する側に開口するとともに奥端にホース４０’のインサート嵌め込み端を着座させる段差部１９ａを備える保持穴１９と、段差部１９ａに開口してインサート４２が通過可能の貫通孔１３’とを有しているので、ホース４０’の押し出しピン保持部材６０側と反対方向への移動を段差部１９ａで確実に規制するとともに、インサート４２は障害なく押し出すことができる。
また、押し出しピン保持部材６０の保持部６１は、押し出しピン５５をねじにより固定保持するので、ホース保持部材１０’側と反対方向への移動を確実に規制するとともに、押し出しピン５５はインサート４２の押し出し後の握り部３ａ、４ａの解放とともに抵抗なくホース４０’から抜け出る。
（請求項３に対応する効果）
【００４０】
なお、第１の実施例ではホース４０を保持する保持部１１と連結部１６を一体のホース保持部材１０とし、ニップル４５を保持する保持部２１と連結部２６を一体の継ぎ手保持部材２０としたが、それぞれの保持部と連結部を別体として脱着可能としてもよい。
これにより、保持部１１をホースのサイズごとに対応させた複数のアタッチメントとし、保持部２１を複数種類およびサイズの継ぎ手に対応させた複数のアタッチメントとして、多種の継ぎ手組付けに利用可能となる。
第２の実施例でも同様に、ホース４０’を保持する保持部１１’と連結部１６を一体のホース保持部材１０’とし、押し出しピン５５を保持する保持部６１と連結部２６を一体の押し出しピン保持部材６０としたが、それぞれの保持部と連結部を別体として脱着可能とすることができる。
これにより、保持部１１’をホースのサイズごとに対応させた複数のアタッチメントとし、保持部６１を押し出しピン５５のサイズごとに対応させた複数のアタッチメントとして、多種のインサート抜取りに利用可能となる。
また、脱着可能なアタッチメントとすることにより、継ぎ手組付けあるいはインサート抜取りの専用に止まらず、握り部３ａ、４ａから連結部１６、２６までの構成部分が汎用ユニットとして、種々の部材のホース挿入に活用される。
（請求項４に対応する効果）
【符号の説明】
【００４１】
１    継ぎ手組付工具
２    支持軸
３    第１アーム
３ａ、４ａ    握り部
３ｂ、４ｂ    ワーク部
４    第２アーム
５    プレート
６    第１ロッド
７    第２ロッド
１０、１０’    ホース保持部材
１１、１１’    保持部
１２    端面
１３、１３’    貫通孔
１４    スリット
１５    レバー支持部
１６    連結部
１７    ロックレバー
１８    押圧部
１９    保持穴
１９ａ    段差部
２０    継ぎ手保持部材
２１    保持部
２２    端面
２３    保持穴
２６    連結部
３０、３１、３２、３３、３４、３５    軸ピン
３６    回動軸
４０、４０’    ホース
４１    孔
４２    インサート
４３    パイプ
４４    拡径フランジ
４５    ニップル
４６    接続部
４７    フランジ部
４８    ねじ部
４９    タケノコ
５０    インサート抜取工具
５５    押し出しピン
５６    ピン部
５７    ヘッド
５８    ねじ部
６０    押し出しピン保持部材
６１    保持部
６２    端面
６３    ねじ穴
ＬＫ    ロック機構
ＰＬａ、ＰＬｂ    平行四辺形リンク
【図１】
0006541435.tif 000002
【図２】
0006541435.tif 000003
【図３】
0006541435.tif 000004
【図４】
0006541435.tif 000005
【図５】
0006541435.tif 000006
【図６】
0006541435.tif 000007
【図７】
0006541435.tif 000008
【図８】
0006541435.tif 000009
【図９】
0006541435.tif 000010
【図１０】
0006541435.tif 000011
【図１１】
0006541435.tif 000012
【図１２】
0006541435.tif 000013
【図１３】
0006541435.tif 000014